(57)【特許請求の範囲】
【請求項１】
板状の電子部材を二つ個別に近接して収容する一対のスロットと、
一方の前記スロットに収納された一方の前記電子部材の離脱を規制又は当該規制を解除する可動部材であって、一方の前記電子部材の離脱を規制するときも、当該規制を解除するときも、他方の前記電子部材の他方の前記スロットへの着脱を妨げない規制部材とを備え、
前記規制部材は、一対の前記スロットの境界付近であるガイド位置に配置されたガイド部を有し、
前記ガイド部は、他方の前記スロットに着脱される他方の前記電子部材を、前記ガイド位置で支持して他方の前記スロットと平行に案内することを特徴とする電子機器。
【請求項２】
請求項１記載の電子機器において、
前記規制部材は、
前記規制部材が一方の前記電子部材の離脱を規制する規制位置にある場合に一方の前記スロットの出入口にかかる位置に配置されて、前記規制部材が一方の前記電子部材に対する規制を解除する解除位置にある場合に一方の前記スロットに対する一方の前記電子部材の着脱を妨げない位置に移動するロック部と、
前記ロック部から延在して前記ガイド部を支持する変形自在なアーム部とをさらに備え、
前記アーム部は、前記規制部材が前記規制位置にある場合及び前記解除位置にある場合のいずれか一方の場合に変形して、前記規制部材が前記規制位置にある場合には前記ガイド位置に前記ガイド部を移動させるとともに、前記規制部材が前記解除位置にある場合には二つの前記電子部材の着脱を妨げない位置に前記ガイド部を移動させることを特徴とする電子機器。
【請求項３】
請求項１記載の電子機器において、
前記規制部材が一方の前記電子部材の離脱を規制する規制位置にある場合に一方の前記スロットの出入口にかかる位置に配置されて、前記規制部材が一方の前記電子部材に対する規制を解除する解除位置にある場合に一方の前記スロットに対する一方の前記電子部材の着脱を妨げない位置に移動するロック部を備え、
前記ロック部と、前記ガイド部とが一体化されていることを特徴とする電子機器。
【請求項４】
請求項１〜３のいずれか一項に記載の電子機器において、
前記規制部材は、一方の前記電子部材の離脱を規制又は当該規制を解除する際に、一方の前記スロットへの一方の前記電子部材の着脱方向と直行する方向へスライド動作し、
一方の前記電子部材はバッテリーパックであり、他方の前記電子部材はメモリカードであり、一対の前記スロットは前記バッテリーパックと前記メモリカードとを平行に収容することを特徴とする電子機器。
【発明の詳細な説明】
【技術分野】
【０００１】
本発明は、電子機器に係り、特に、板状の電子部材を二つ近接して収容可能な電子機器に関する。
【背景技術】
【０００２】
従来、デジタルカメラや携帯電話、デジタルオーディオプレーヤー、ノート型パソコン等の携帯可能な電子機器においては、バッテリーやメモリカードなどの板状の電子部材が複数搭載可能となっている。そして、電子機器全体をコンパクトにするために、これら板状の電子部材を近接してレイアウトした電子機器が開発されている（例えば、特許文献１参照）。そして、このような電子機器には、複数の板状の電子機器を着脱自在とするコネクタ部が設けられている。
【０００３】
例えば、図８に示すスタンドオフタイプのコネクタ部１００では、基板１０１と、パッド１０２とにより二つの電子部材を個別に収容するスロット１０３，１０４が形成されている。パッド１０２は基板１０１に半田付けにより固定されているが、スロット１０３，１０４に対して斜めに電子部材が着脱されると、半田付けされた部分に負荷がかかって基板１０１からパッド１０２が剥がれてしまい、接続不良を誘発するおそれがあった。
【０００４】
これを防止すべく、近年では図９に示すコネクタ部２００のように、二つの電子部材を収容するスロット２０３，２０４の間に肉厚な隔壁２０５を設け、この隔壁２０５によって、着脱時の傾きを抑え電子部材をスロット２０３，２０４に対して平行にスライドさせ、基板にかかる負荷を抑制している。
【先行技術文献】
【特許文献】
【０００５】
【特許文献１】特開２００７−２２７４５３号公報
【発明の概要】
【発明が解決しようとする課題】
【０００６】
しかしながら、スロット２０３，２０４に対して平行に電子部材を安定してスライドさせるにはどうしても隔壁２０５に十分な厚みが必要であるために、電子機器全体の小型化の弊害となっていた。
このため、本発明の課題は、小型化のため隔壁を薄くしたり無くしたりしても、板状の電子部材の着脱を安定して行えるようにし、コネクタ部にかかる負荷を抑制することである。
【課題を解決するための手段】
【０００７】
請求項１記載の発明に係る電子機器は、
板状の電子部材を二つ個別に近接して収容する一対のスロットと、
一方の前記スロットに収納された一方の前記電子部材の離脱を規制又は当該規制を解除する可動部材であって、一方の前記電子部材の離脱を規制するときも、当該規制を解除するときも、他方の前記電子部材の他方の前記スロットへの着脱を妨げない規制部材とを備え、
前記規制部材は、一対の前記スロットの境界付近であるガイド位置に配置されたガイド部を有し、
前記ガイド部は、他方の前記スロットに着脱される他方の前記電子部材を、前記ガイド位置で支持して他方の前記スロットと平行に案内することを特徴としている。
【０００８】
請求項２記載の発明は、請求項１記載の電子機器において、
前記規制部材は、
前記規制部材が一方の前記電子部材の離脱を規制する規制位置にある場合に一方の前記スロットの出入口にかかる位置に配置されて、前記規制部材が一方の前記電子部材に対する規制を解除する解除位置にある場合に一方の前記スロットに対する一方の前記電子部材の着脱を妨げない位置に移動するロック部と、
前記ロック部から延在して前記ガイド部を支持する変形自在なアーム部とをさらに備え、
前記アーム部は、前記規制部材が前記規制位置にある場合及び前記解除位置にある場合のいずれか一方の場合に変形して、前記規制部材が前記規制位置にある場合には前記ガイド位置に前記ガイド部を移動させるとともに、前記規制部材が前記解除位置にある場合には二つの前記電子部材の着脱を妨げない位置に前記ガイド部を移動させることを特徴としている。
【０００９】
請求項３記載の発明は、請求項１記載の電子機器において、
前記規制部材が一方の前記電子部材の離脱を規制する規制位置にある場合に一方の前記スロットの出入口にかかる位置に配置されて、前記規制部材が一方の前記電子部材に対する規制を解除する解除位置にある場合に一方の前記スロットに対する一方の前記電子部材の着脱を妨げない位置に移動するロック部を備え、
前記ロック部と、前記ガイド部とが一体化されていることを特徴としている。
【００１０】
請求項４記載の発明は、請求項１〜３のいずれか一項に記載の電子機器において、
前記規制部材は、一方の前記電子部材の離脱を規制又は当該規制を解除する際に、一方の前記スロットへの一方の前記電子部材の着脱方向と直行する方向へスライド動作し、
一方の前記電子部材はバッテリーパックであり、他方の前記電子部材はメモリカードであり、一対の前記スロットは前記バッテリーパックと前記メモリカードとを平行に収容することを特徴としている。
【発明の効果】
【００１１】
本発明によれば、小型化のため隔壁を薄くしたり無くしたりとしても、板状の電子部材の着脱を安定して行えるようにし、コネクタ部にかかる負荷を抑制することができる。
【図面の簡単な説明】
【００１２】
【図１】本発明に係る電子機器の一形態であるカメラの概略構成を示す説明図であり、（ａ）は正面図、（ｂ）は裏面図である。
【図２】図１のカメラの概略構成を示す説明図であり、（ａ）は上面図、（ｂ）は下面図である。
【図３】図１のカメラに備わるコネクタ部の概略構成を示す説明図であり、（ａ）は下面図、（ｂ）は斜視図である。
【図４】図１のカメラに備わるコネクタ部の概略構成を示す説明図であり、（ａ）は下面図、（ｂ）は斜視図である。
【図５】図３のコネクタ部の変形例を示す説明図であり、（ａ）は下面図、（ｂ）は斜視図である。
【図６】図３のコネクタ部の第一の変形例を模式的に示す下面図である。
【図７】図３のコネクタ部の第二の変形例を模式的に示す下面図である。
【図８】従来の電子機器のコネクタ部を示す斜視図である。
【図９】従来の電子機器のコネクタ部を示す斜視図である。
【発明を実施するための形態】
【００１３】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１４】
図１は、本発明に係る電子機器の一形態であるカメラの概略構成を示す説明図であり、（ａ）は正面図、（ｂ）は裏面図である。図２は、図１と同様にカメラの概略構成を示す説明図であり、（ａ）は上面図、（ｂ）は下面図である。なお、本実施形態においては電子機器としてカメラを例示して説明するが、本発明の構成はカメラに限定されるものではなく、これ以外にも例えば携帯電話、デジタルオーディオプレーヤー、携帯テレビ、ノート型パソコン、ＰＤＡ等が挙げられる。
【００１５】
図１，図２に示すように、カメラ１は、レンズユニット２、表示パネル３、回路部品等を収容する正面視略矩形状のケース４を有している。ケース４の正面側には、レンズユニット２のレンズ２１と、フラッシュ光を透過させるフラッシュ部Fとが設けられている。ケース４の裏面側には、表示パネル３と、各操作ボタン５とが設けられている。また、ケース４の上部にも各操作ボタンが設けられている。
そして、ケース４の下部には、バッテリーパック６（図３参照）及びメモリカード７（図３参照）を収容するコネクタ部８と、コネクタ部８を隠顕する蓋部材９とが設けられている。
【００１６】
以下、コネクタ部８について詳細に説明する。図３，４はコネクタ部８の概略構成を示す説明図であり、（ａ）は下面図、（ｂ）は斜視図である。コネクタ部８には、板状の電子部材であるバッテリーパック６を収容する第一スロット８１と、板状の電子部材であるメモリカード７を収容する第二スロット８２とが設けられている。第一スロット８１と、第二スロット８２とは、バッテリーパック６及びメモリカード７が近接した位置で平行に収容されるように、互いにカメラ１の厚さ方向Ｘに重ねて配置されている。第一スロット８１と第二スロット８２との間には両者の干渉を防止するための薄いリブ８３が設けられている。なお、このリブ８３は必須の構成ではなく、省略することも可能である。
【００１７】
第一スロット８１は、カメラ１の裏面側に配置されている。また、第一スロット８１の奥側正面にはバッテリーパック６の端子部が接続されるバッテリー用端子（図示省略）が設けられている。第一スロット８１は、収容されるバッテリーパック６のサイズに対応した大きさに形成されている。
【００１８】
第二スロット８２は、カメラ１の前面側に配置されている。第二スロット８２の内側には、メモリカード７の離脱を防止するロック機構（図示省略）が設けられている。また、第二スロット８２の奥側内側面にはメモリカード７の端子部が接続されるメモリ用端子（図示省略）が設けられている。第二スロット８２は、収容されるメモリカード７のサイズに対応した大きさに形成されている。一般的にメモリカード７の方がバッテリーパック６よりも小さいために、第二スロット８２も第一スロット８１よりも小さいサイズとなる。このため、第二スロット８２の少なくとも一端部は、第一スロット８１の一端部よりも内側に位置している。
【００１９】
コネクタ部８の表面であって第二スロット８２の一側方には、第一スロット８１に収納されたバッテリーパック６の離脱を規制又は当該規制を解除する規制部材１０が設けられている。この規制部材１０は、厚さ方向Ｘに沿って手動によりスライドするものである。このスライドによって規制部材１０は、バッテリーパック６の離脱を規制する規制位置と、バッテリーパック６に対する規制を解除する解除位置とを移動する。なお、図３においては規制部材１０が規制位置にある状態を示し、図４においては規制部材１０が解除位置にある状態を示している。
【００２０】
規制部材１０は、ロック部１１と、アーム部１２と、ガイド部１３とを有し、これらが樹脂等により一体成型されている。
【００２１】
ロック部１１は、図３に示すように規制部材１０が規制位置にある場合に当該ロック部１１の一端部（図３における下端部）が第一スロット８１の出入口にかかる位置に配置される。このように、第一スロット８１内にバッテリーパック６が収納された状態で規制部材１０が規制位置にあると、ロック部１１の一端部がバッテリーパック６の離脱を規制することになる。
一方、図４に示すように規制部材１０が解除位置にある場合には、ロック部１１は第一スロット８１に対するバッテリーパック６の着脱を妨げない位置に配置される。
【００２２】
アーム部１２は、ロック部１１における第二スロット８２側の端部から徐々に第二スロット８２に近づきながら第一スロット８１に向けて延在している。アーム部１２の先端部には、ガイド部１３が支持されている。
ここで、コネクタ部８の表面にはアーム部１２を弾性変形させるための突起２０が設けられている。突起２０は、規制部材１０が規制位置にある場合にはアーム部１２に対して負荷を与えない位置であって、規制部材１０が解除位置にある場合にはアーム部１２に対して負荷を与える位置に形成されている。アーム部１２は、突起２０により負荷が与えられていないと弾性変形せずにガイド部１３を第一スロット８１及び第二スロット８２の境界付近であるガイド位置に配置している。また、アーム部１２は、突起２０により負荷が加えられると弾性変形して、バッテリーパック６及びメモリカード７の着脱を妨げない位置にガイド部１３を移動させる。
【００２３】
ガイド部１３は、ガイド位置に配置されている状態であると第二スロット８２側の端面１３１が、第二スロット８２の一つの内面８２１に沿うように配置されている。第二スロット８２の内面８２１は、第一スロット８１と第二スロット８２との境界に最も近接した内面である。
【００２４】
次に、本実施形態の作用について説明する。
まず、バッテリーパック６の着脱時には、図４に示すように規制部材１０を解除位置にセットして、第一スロット８１に対するバッテリーパック６の着脱を妨げない位置にロック部１１を配置する。この状態で、バッテリーパック６を第一スロット８１に対して着脱する。なお、装着後においては、図３に示すように規制部材１０を規制位置にセットして、ロック部１１の一端部を第一スロット８１の出入口にかかる位置に配置し、バッテリーパック６の離脱を規制する。
【００２５】
一方、メモリカード７の着脱時には、図３に示すように規制部材１０を規制位置にセットして、ガイド部１３をガイド位置に配置する。そして、ガイド部１３の端面１３１で支持された状態でメモリカード７を第二スロット８２に対して差し抜きすると、当該メモリカード７は第二スロット８２の内面８２１に平行にスライドしながら着脱動作をすることになる。
【００２６】
以上のように、本実施形態によれば、ガイド部１３が、第二スロット８２に着脱されるメモリカード７をガイド位置で支持して第二スロット８２の内面８２１と平行に案内するので、従来では必要であったガイド用の隔壁を省略したり薄くしたりしたとしてもメモリカード７の着脱を安定して行えることができる。したがって、着脱時にコネクタ部８にかかる負荷を抑制することができる。
なお、上記実施形態においては第一スロット８１と第二スロット８２との間にリブ８３が設けられている場合を例示して説明したが、このリブ８３は両者の干渉を防ぐためのものである。このため、ガイド用の隔壁よりも強度が必要とされておらず、隔壁と比べても大幅にリブ８３を薄くすることが可能である。
【００２７】
また、アーム部１２の弾性変形によって、ロック部１１の位置切り替え動作とガイド部１３の位置切り替え動作とが連動するので、簡易な構成で両者の連動を行うことができる。したがって、規制部材１０の簡素化を図ることができる。
【００２８】
また、第一スロット８１と第二スロット８２とが、バッテリーパック６とメモリカード７とを平行に収容可能であるので、電子機器の小型化に最も効率的なレイアウトでバッテリーパック６とメモリカード７とを収容することができる。
【００２９】
なお、本発明は上記実施形態に限らず適宜変更可能である。以下の説明において、上記実施形態と同一部分については同一符号を付してその説明を省略する。
例えば、本実施形態では、アーム部１２は規制部材１０が規制位置にある場合に非変形な状態となり、規制部材１０が解除位置にある場合に弾性変形した状態となる場合を例示して説明したが、これが逆であってもよい。すなわち、アーム部１２は規制部材１０が規制位置にある場合に弾性変形した状態となり、規制部材１０が解除位置にある場合に非変形な状態とすることも可能である。いずれにしろ、規制部材１０が規制位置にある場合にはガイド位置にガイド部１３を移動させ、規制部材１０が解除位置にある場合にはバッテリーパック６とメモリカード７との着脱を妨げない位置にガイド部１３を移動させるのであれば、アーム部１２の変形パターンは如何様でもよい。
【００３０】
また、本実施形態では、規制部材１０が第二スロット８２の一側方にのみ設けられている場合を例示して説明したが、第二スロット８２の他側方にも規制部材１０を設けることも可能である。この場合、個別に規制部材１０を操作することも可能であるが、リンク機構を設けることで、一方の規制部材１０に対する操作を他方の規制部材１０に伝達して、二つの規制部材１０を連動させることが操作効率上好ましい。これによって、メモリカード７の両側部のそれぞれが規制部材１０のガイド部１３により支持されるので、より安定した着脱動作を行うことができる。
【００３１】
また、本実施形態では、ロック部１１とガイド部１３とが、規制部材１０における別の箇所に設けられている場合を例示して説明したが、図５に示すコネクタ部８Ａのようにロック部とガイド部とを一体化することも可能である。コネクタ部８Ａの規制部材１０ａでは、本体部１５ａから延出するアーム部１２ａの先端部に、ロック部とガイド部をなす兼用部１４ａが設けられている。兼用部１４ａは、ガイド位置に配置されている状態であると、第二スロット８２側の端面１４１ａが、第二スロット８２の一つの内面８２１に沿うように配置されているとともに、第一スロット８１側の端部が第一スロット８１の出入口にかかる位置に配置されている。つまり、兼用部１４ａがメモリカード７のガイドと、バッテリーパック６の離脱を規制できるようになっている。
【００３２】
そして、規制部材１０ａが解除位置にセットされると、兼用部１４ａはアーム部１２ａの弾性変形によってバッテリーパック６とメモリカード７との着脱を妨げない位置に移動することになる（図５（ａ）における点線部参照）。
なお、規制部材１０ａの本体部１５ａは、規制位置又は解除位置にあってもバッテリーパック６の着脱を妨げない位置に配置されている。
【００３３】
このように、ロック部とガイド部とが兼用部１４ａにより一体化されていると、規制部材１０ａを小型化することができる。
【００３４】
そして、本実施形態では、一対のスロット８１，８２が平行に重ねられている場合を例示して説明したが、図６に示すコネクタ部８Ｂのように一対のスロット８１ｂ，８２ｂを幅方向に一列に並べて配置したり、図７に示すコネクタ部８Ｃのように一対のスロット８１ｃ，８２ｃのうち、第一スロット８１ｃに対して第二スロット８２ｃを直交させて配置することも可能である。
【００３５】
ここで、図６のコネクタ部８Ｂに搭載されている規制部材１０ｂは、第一スロット８１ｂ側の端部がロック部１１ｂである。また、規制部材１０ｂの上面が第二スロット８２ｂの下面８２１ｂに沿うように配置されている。つまり、規制部材１０ｂの上面がガイド部１３ｂである。規制部材１０ｂは幅方向にスライドすることで、規制位置（図６における網掛部分）と解除位置（図６における点線部分）とを移動するようになっている。
この場合においても、一対のスロット８１ｂ，８２ｂの間の隔壁を狭めたとしても、安定してメモリカード７を着脱させることが可能となる。
【００３６】
また、図７のコネクタ部８Ｃに搭載されている規制部材１０ｃは、下端部がロック部１１ｃである。また、規制部材１０ｃにおける第二スロット８２ｃ側の一端面が、第二スロット８２ｃの第一スロット８１ｃ側の一側面８２１ｃに沿うように配置されている。つまり、規制部材１０ｃの第二スロット８２ｃ側の一端面がガイド部１３ｃである。規制部材１０ｃは高さ方向にスライドすることで、規制位置（図７における網掛部分）と解除位置（図７における点線部分）とを移動するようになっている。
この場合においても、一対のスロット８１ｃ，８２ｃの間の隔壁を狭めたとしても、安定してメモリカード７を着脱させることが可能となる。
【符号の説明】
【００３７】
１      カメラ（電子機器）
２      レンズユニット
３      表示パネル
４      ケース
５      操作ボタン
６      バッテリーパック（一方の電子部材）
７      メモリカード（他方の電子部材）
８      コネクタ部
９      蓋部材
１０      規制部材
１１      ロック部
１２      アーム部
１３      ガイド部
２０      突起
２１      レンズ
８１      第一スロット（一方のスロット）
８２      第二スロット（他方のスロット）
８３      リブ
８２１      内面
【図１】
0005540618.tif 000002
【図２】
0005540618.tif 000003
【図３】
0005540618.tif 000004
【図４】
0005540618.tif 000005
【図５】
0005540618.tif 000006
【図６】
0005540618.tif 000007
【図７】
0005540618.tif 000008
【図８】
0005540618.tif 000009
【図９】
0005540618.tif 000010